【手続補正書】
【提出日】平成15年10月20日(2003.10.20)
【手続補正１】
【補正対象書類名】明細書
【補正対象項目名】特許請求の範囲
【補正方法】変更
【補正の内容】
【特許請求の範囲】
【請求項１】
インクジェット記録ヘッドと、書込み可能で、かつ記録装置に装着された以後の有効使用可能時間を規定する有効使用可能時間または有効使用可能期間に関するデータを格納する記憶手段を付帯され、前記インクジェット記録ヘッドにインクを供給するインクカートリッジと、印刷データに対応して前記記録ヘッドの動作を制御する制御手段とを備え、前記制御手段は、当該インクカートリッジの使用が開始されてからの経過時間と、前記有効使用可能時間または有効使用可能期間のデータとに基づいて新たな前記有効使用可能時間または有効使用可能期間を算出し、前記記憶手段にこの新たな有効使用可能時間または有効使用可能期間を記憶させるインクジェット記録装置。
【請求項２】
前記制御手段が、前記有効使用可能時間または有効使用可能期間のデータを一定時間毎に更新する請求項１に記載のインクジェット記録装置。
【請求項３】
前記制御手段が、前記有効使用可能時間または有効使用可能期間のデータを環境温度に基づいて変更する請求項１に記載のインクジェット記録装置。
【請求項４】
前記制御手段が、前記有効使用可能時間または有効使用可能期間のデータを環境温度に基づいて延長、または短縮する請求項１に記載のインクジェット記録装置。
【請求項５】
インクジェット記録ヘッドと、インクジェット記録ヘッドにインクを供給するインクカートリッジと、印刷データに対応して前記記録ヘッドの動作を制御する制御手段とを備え、当該記録装置に当該インクカートリッジが装着された以後の有効使用可能時間を規定する有効使用可能時間または有効使用可能期間のデータを環境温度に基づいて前記制御手段が算出するインクジェット記録装置。
【請求項６】
前記制御手段が、前記有効使用可能時間または有効使用可能期間のデータを前記インクカートリッジに付帯された記憶手段に格納する請求項５に記載のインクジェット記録装置。
【請求項７】
前記制御手段が、前記有効使用可能時間または有効使用可能期間のデータを一定時間毎に更新する請求項５に記載のインクジェット記録装置。
【請求項８】
前記制御手段が、前記有効使用可能時間または有効使用可能期間のデータを環境温度に基づいて変更する請求項５に記載のインクジェット記録装置。
【請求項９】
前記制御手段が、前記有効使用可能時間または有効使用可能期間を環境温度に基づいて延長、または短縮する請求項５に記載のインクジェット記録装置。
【請求項１０】
インクジェット記録ヘッドと、有効使用可能時間を規定する有効使用可能時間もしくは有効使用可能期間またはインクカートリッジの製造後の有効期限を規定する前記製造後有効使用可能期間のデータを格納した記憶手段を付帯されて前記インクジェット記録ヘッドにインクを供給するインクカートリッジと、印刷データに対応して前記記録ヘッドの動作を制御する制御手段とを備え、前記制御手段が、当該インクカートリッジが当該記録装置に装着された以後の経過時間または装着時の現在時刻と、前記有効使用可能時間もしくは有効使用可能期間または前記製造後有効使用可能期間のデータとを比較し、前記経過時間または現在時刻が、前記有効使用可能時間もしくは有効使用可能期間または前記製造後有効使用可能期間を経過してしまった時点で報知するインクジェット記録装置。
【請求項１１】
前記制御手段が、前記有効使用可能時間または有効使用可能期間のデータを一定時間毎に更新する請求項１０に記載のインクジェット記録装置。
【請求項１２】
前記制御手段が、前記有効使用可能時間または有効使用可能期間のデータを環境温度に基づいて変更する請求項１０に記載のインクジェット記録装置。
【請求項１３】
前記制御手段が、前記有効使用可能時間または有効使用可能期間を環境温度に基づいて延長、または短縮する請求項１０に記載のインクジェット記録装置。
【請求項１４】
前記制御手段が、前記製造後有効使用可能期間を環境温度に応じて変更する請求項１０に記載のインクジェット記録装置。
【請求項１５】
インクジェット記録ヘッドと、書込み可能で、かつ記録装置に装着された以後の有効使用可能時間を規定する有効使用可能時間または有効使用可能期間に関するデータを格納する記憶手段を付帯され、前記インクジェット記録ヘッドにインクを供給するインクカートリッジと、印刷データに対応して前記記録ヘッドの動作を制御する制御手段とを備えたインクジェット記録装置により記録する方法において、
当該インクカートリッジが当該記録装置に装着された以後の経過時間または装着時の現在時刻と、前記有効使用可能時間または有効使用可能期間とに基づいて新たな有効使用可能時間または有効使用可能期間を算出し、前記記憶手段にこの新たな有効使用可能時間または有効使用可能期間を記憶させるインクジェット記録方法。
【請求項１６】
前記有効使用可能時間または有効使用可能期間のデータを、一定時間毎に更新することを特徴とする請求項１５に記載のインクジェット記録方法。
【請求項１７】
前記有効使用可能時間または有効使用可能期間のデータを、環境温度に基づいて変更することを特徴とする請求項１５に記載のインクジェット記録方法。
【請求項１８】
前記有効使用可能時間または有効使用可能期間を、環境温度に基づいて延長、または短縮することを特徴とする請求項１５に記載のインクジェット記録方法。
【請求項１９】
インクジェット記録ヘッドと、インクジェット記録ヘッドにインクを供給するインクカートリッジと、印刷データに対応して前記記録ヘッドの動作を制御する制御手段とを備えたインクジェット記録装置により記録する方法において、
当該記録装置にインクカートリッジが装着された以後の有効使用可能時間または有効使用可能期間を、環境温度に基づいて算出するインクジェット記録方法。
【請求項２０】
前記有効使用可能時間または有効使用可能期間を、前記インクカートリッジに付帯された記憶手段に格納することを特徴とする請求項１９に記載のインクジェット記録方法。
【請求項２１】
前記有効使用可能時間または有効使用可能期間のデータを、一定時間毎に更新することを特徴とする請求項１９に記載のインクジェット記録方法。
【請求項２２】
前記有効使用可能時間または有効使用可能期間を、環境温度に基づいて延長、または短縮することを特徴とする請求項１９に記載のインクジェット記録方法。
【請求項２３】
インクジェット記録ヘッドと、有効使用可能期間を規定する前記有効使用可能時間もしくは有効使用可能期間またはインクカートリッジの製造後の有効期限を規定する前記製造後有効使用可能期間のデータを格納した記憶手段を付帯されて前記インクジェット記録ヘッドにインクを供給するインクカートリッジと、印刷データに対応して前記記録ヘッドの動作を制御する制御手段とを備えたインクジェット記録装置により記録する方法において、
当該インクカートリッジが当該記録装置に装着された以後の経過時間または装着時の現在時刻と、前記有効使用可能時間もしくは有効使用可能期間または前記製造後有効使用可能期間とを比較する工程と、当該インクカートリッジの当該記録装置に装着された以後の経過時間または現在時刻が、前記有効使用可能時間もしくは有効使用可能期間または前記製造後有効使用可能期間を経過した時点で報知する工程とを備えたインクジェット記録方法。
【請求項２４】
前記有効使用可能時間または有効使用可能期間のデータを、一定時間毎に更新することを特徴とする請求項２３に記載のインクジェット記録方法。
【請求項２５】
前記有効使用可能時間または有効使用可能期間のデータを、環境温度に基づいて変更することを特徴とする請求項２３に記載のインクジェット記録方法。
【請求項２６】
前記有効使用可能時間または有効使用可能期間を、環境温度に基づいて延長、または短縮することを特徴とする請求項２３に記載のインクジェット記録方法。
【請求項２７】
前記製造後有効使用可能期間が環境温度に応じて変更される請求項２３に記載のインクジェット記録方法。
【請求項２８】
インクカートリッジの製造後の有効期限を規定する製造後有効使用可能期間のデータ、及びインクジェット記録記録装置に装着された以後の有効使用可能時間または有効使用可能期間を規定するデータを格納する記憶手段が付帯されたインクカートリッジ。
【請求項２９】
前記記憶手段が、インクジェット記録装置に装着された以後の前記有効使用可能時間または有効使用可能期間を規定する前記データを外部から更新可能に格納する請求項２８に記載のインクカートリッジ。
【請求項３０】
インクカートリッジの製造後の有効期限を規定する製造後有効使用可能期間のデータ、及び前記インクカートリッジがインクジェット記録記録装置に装着された以後の有効使用可能時間または有効使用可能期間を規定するデータを格納する記憶手段が付帯されたインクカートリッジの使用期限の管理方法において、
前記有効使用可能時間もしくは有効使用可能期間または前記製造後有効使用可能期間のデータを、一定時間毎に更新することを特徴とするインクカートリッジの使用可能期間管理方法。
【請求項３１】
前記有効使用可能時間もしくは有効使用可能期間または前記製造後有効使用可能期間のデータを、環境温度に基づいて変更することを特徴とする請求項３０に記載のインクカートリッジの使用可能期間管理方法。
【請求項３２】
前記有効使用可能時間もしくは有効使用可能期間または前記製造後有効使用可能期間のデータを、環境温度に基づいて延長、または短縮することを特徴とする請求項３０に記載のインクカートリッジの使用可能期間管理方法。
【請求項３３】
当該インクカートリッジが当該記録装置に装着された以後の経過時間または装着時の現在時刻を検出し、装着後の時間が前記製造後有効使用可能期間を経過した時点で報知することを特徴とする請求項３０に記載のインクカートリッジの使用可能期間管理方法。
【請求項３４】
当該インクカートリッジが当該記録装置に装着された以後の経過時間または装着時の現在時刻と、前記有効使用可能時間または有効使用可能期間のデータとに基づいて新たな前記有効使用可能時間または有効使用可能期間を算出し、算出された新たな有効使用可能時間または有効使用可能期間を前記記憶手段に格納する請求項３０に記載のインクカートリッジの使用可能期間管理方法。